(57)【要約】【課題】  検査に使用した処置具等の使用記録を容易に作成可能な医療用画像ファイリングシステムを提供する。【解決手段】  検査前、予め使用される可能性のある処置具をファイリングシステムに登録する。検査を行うときに、ＲＦＩＤなどの方法により、検査に使った処置具名などを情報として取り込む。検査終了後、検査実施記録を作成する際、取り込まれた処置具名などが画面にリストアップされる。また、実施記録を修正、追加する際には、検査に使用した内視鏡の種類等から検査に使用された、あるいは、使用される可能性の高い処置具名等を画面上にリストとして表示し、医師や看護婦がリストから使用した処置具を選択することにより、実施記録を容易に作成可能とする。【選択図】      図１７
2005143949.tif 000002
【特許請求の範囲】
【請求項１】
医療用画像撮像手段が撮像した画像データをデータ入力手段から入力されたデータと共に記録、管理する医療用画像ファイリングシステムにおいて、
検査に使用された医療部材あるいは薬品の情報を取得する情報取得手段と、
検査の実施記録の作成の際に、該情報取得手段により取得された医療部材あるいは薬品を表示し、且つ、複数の医療部材あるいは薬品をリストとして配列表示可能な表示手段と、
該表示手段により表示された検査で使用された医療部材あるいは薬品に対し、前記配列表示されたリストから選択することによって修正または追加を行う修正追加手段と、
を備えることを特徴とする医療用画像ファイリングシステム。
【請求項２】
前記表示手段は、前記情報取得手段により取得された医療部材あるいは薬品を前記リストの上位に表示することを特徴とする請求項１に記載の医療用画像ファイリングシステム。
【請求項３】
更に、検査の際に使用された内視鏡の種類を特定する特定手段を有し、
前記表示手段は、該特定手段によって特定された種類の内視鏡と共に使用される可能性の高い医療部材あるいは薬品を前記リストの上位に表示することを特徴とする請求項１に記載の医療用画像ファイリングシステム。
【請求項４】
前記使用される可能性は、前記内視鏡の種類毎に、その内視鏡と共に使用した利用回数に基づくことを特徴とする請求項３に記載の医療用画像ファイリングシステム。
【請求項５】
前記表示手段は、利用回数が所定値以上の医療部材あるいは薬品を前記リストの上位に表示することを特徴とする請求項４に記載の医療用画像ファイリングシステム。
【請求項６】
前記利用回数が所定値未満の医療部材あるいは薬品は、前記リスト中において、前記利用回数が所定値以上の医療部材あるいは薬品の下位に、名前の順に表示されることを特徴とする請求項５に記載の医療用画像ファイリングシステム。
【請求項７】
更に、検査の際に使用された内視鏡の種類を特定する特定手段を有し、
前記表示手段は、前記情報取得手段により取得された医療部材あるいは薬品を前記リストの上位に表示すると共に、該特定手段によって特定された種類の内視鏡と共に使用される可能性の高い医療部材あるいは薬品を前記リスト中におけるその下位に表示することを特徴とする請求項１に記載の医療用画像ファイリングシステム。
【請求項８】
医療用画像撮像手段が撮像した画像データをデータ入力手段から入力されたデータと共に記録、管理する医療用画像ファイリングシステムにおけるデータ入力方法において、
検査に使用された医療部材あるいは薬品の情報を取得する情報取得ステップと、
検査の実施記録の作成の際に、該情報取得ステップにより取得された医療部材あるいは薬品を表示し、且つ、複数の医療部材あるいは薬品をリストとして配列表示可能な表示ステップと、
該表示ステップにより表示された検査で使用された医療部材あるいは薬品に対し、前記配列表示されたリストから選択することによって修正または追加を行う修正追加ステップと、
を備えることを特徴とするデータ入力方法。
【請求項９】
医療用画像撮像手段が撮像した画像データをデータ入力手段から入力されたデータと共に記録、管理する医療用画像ファイリングシステムにおけるデータ入力方法において、
検査に使用された医療部材あるいは薬品の情報を取得する情報取得ステップと、
検査の実施記録の作成の際に、該情報取得ステップにより取得された医療部材あるいは薬品を表示し、且つ、複数の医療部材あるいは薬品をリストとして配列表示可能な表示ステップと、
該表示ステップにより表示された検査で使用された医療部材あるいは薬品に対し、前記配列表示されたリストから選択することによって修正または追加を行う修正追加ステップと、
を備えることを特徴とするデータ入力方法をコンピュータに実現させるプログラム。
【発明の詳細な説明】
【技術分野】
【０００１】
本発明は、内視鏡などの撮像装置で撮像した医療用画像データを保管、管理する医療用画像ファイリングシステムに関する。
【背景技術】
【０００２】
近年、データ処理技術の発展により、医療などの現場で撮影された画像をデジタル画像データとして保管、管理することが行われている。更に、画像データを保管、管理するにあたって、その画像の診断結果をメモとして電子データに取り込み、画像データと合わせて保管することも行われている。
【０００３】
このようなシステムの利用が普及するにあたり、内視鏡などを使って患部を撮像し、併せてその患部の診断を行い、その画像に診断結果をテキストとして付加し、ファイリングを可能とするシステムに対し、医師などの作業を簡単化するための機能を付加する要求が高まっている。
【０００４】
その中の一つに、医師が画像を見て、所見をシステムに入力する際に、検査部位に従って、良く使われる用語を医師にリストとして提示し、医師がこれらのリストから最適な言葉を選択して、所見の文章を組み立てるというシステムも考えられ始めている。
また、特許文献１には、画像データを格納する際に、その画像を撮像した内視鏡の固有情報を画像データと関連付けて保存するシステムが開示されている。
【特許文献１】特開平１１−９９１２５号公報
【発明の開示】
【発明が解決しようとする課題】
【０００５】
医師が検査を実施し、その記録を取る作業も上記医療用画像ファイリングシステムを使って行われる。この際、実施記録においては、検査に使用した医療部材としての処置具や薬品を記載する必要があるが、従来では、医師が手入力しなければならず、医師の作業が煩雑であるという問題があった。
【０００６】
本発明の課題は、検査に使用した医療部材あるいは薬品の実施記録を容易に修正、追加可能な医療用画像ファイリングシステムを提供することである。
【課題を解決するための手段】
【０００７】
本発明の医療用画像ファイリングシステムは、医療用画像撮像手段が撮像した画像データをデータ入力手段から入力されたデータと共に記録、管理する医療用画像ファイリングシステムにおいて、検査に使用された医療部材あるいは薬品の情報を取得する情報取得手段と、検査の実施記録の作成の際に、該情報取得手段により取得された医療部材あるいは薬品を表示し、且つ、複数の医療部材あるいは薬品をリストとして配列表示可能な表示手段と、該表示手段により表示された検査で使用された医療部材あるいは薬品に対し、前記配列表示されたリストから選択することによって修正または追加を行う修正追加手段とを備えることを特徴とする。
【０００８】
本発明のデータ入力方法は、医療用画像撮像手段が撮像した画像データをデータ入力手段から入力されたデータと共に記録、管理する医療用画像ファイリングシステムにおけるデータ入力方法において、検査に使用された医療部材あるいは薬品の情報を取得する情報取得ステップと、検査の実施記録の作成の際に、該情報取得ステップにより取得された医療部材あるいは薬品を表示し、且つ、複数の医療部材あるいは薬品をリストとして配列表示可能な表示ステップと、該表示ステップにより表示された検査で使用された医療部材あるいは薬品に対し、前記配列表示されたリストから選択することによって修正または追加を行う修正追加ステップとを備えることを特徴とする。
【０００９】
本発明のプログラムは、医療用画像撮像手段が撮像した画像データをデータ入力手段から入力されたデータと共に記録、管理する医療用画像ファイリングシステムにおけるデータ入力方法において、検査に使用された医療部材あるいは薬品の情報を取得する情報取得ステップと、検査の実施記録の作成の際に、該情報取得ステップにより取得された医療部材あるいは薬品を表示し、且つ、複数の医療部材あるいは薬品をリストとして配列表示可能な表示ステップと、該表示ステップにより表示された検査で使用された医療部材あるいは薬品に対し、前記配列表示されたリストから選択することによって修正または追加を行う修正追加ステップとを備えることを特徴とするデータ入力方法をコンピュータに実現させる。
【発明の効果】
【００１０】
本発明によれば、実施記録に際して、使用された医療部材あるいは薬品が自動的に入力表示され、修正や追加したい場合はリストから選択するだけで容易に医療部材や薬品の修正、追加を行うことができる。特に、医療部材あるいは薬品の表示順序は、当該検査で使用された医療部材あるいは薬品をリストの先頭に配置したり、使用頻度の高い医療部材や薬品をリストの上のほうに表示するようにしているので、多数の医療部材や薬品が記載されたリストから、いちいち探し出して選択しなくても、探し易い位置にリストアップされることになり、医師の作業の煩雑さを軽減できる。
【発明を実施するための最良の形態】
【００１１】
図１は、病院内などに設けられる医療用画像ファイリングシステムの全体構成を示す図である。
ファイリングシステム１は、複数の端末がバス３によって接続された構成となっている。端末２は、ファイリングシステム１に格納されているデータを参照しようとする場合に使用される端末である。点線で囲まれている部分５、７、９は、病院における各診療科に配置される装置を示している。例えば、５の診療科では、内視鏡を使った検査を行っているとすると、端末４は、内視鏡の撮像画像を表示したり、医師の所見を入力したりして、検査レポートを作成する端末である。７の診療科においても、検査にあたって得られた画像を表示し、所見を入力して検査レポートを作成する端末６が設けられている．
電子カルテシステム８は、例えば、病院の受付などに配置され、どの患者がどの診療科の診察を受けるかをスケジューリングし、各診療科５、７、９の端末に、診療を受ける患者の情報を送信するシステムである。
【００１２】
図２は、診療科に設けられるシステムの構成を示す図である。
バス１３には、さまざまな装置が接続される。データ送受信用端末１８は、電子カルテシステムから患者に関するデータを受け取ったり、他の診療科のデータにアクセスするための端末である。プリンタ１９は、一般にデータ送受信用端末１８が受け取ったデータを印刷したり、その他汎用的にデータを印刷するのに使用される。検査装置用端末１２は、検査具の制御や取得したデータを処理する端末である。今の場合、検査具は内視鏡検査装置１１であり、内視鏡検査装置１１によって撮像された画像が検査装置用端末１２に取り込まれる。また、検査装置用端末１２は、内視鏡検査装置１１のＥＥＰＲＯＭに格納された情報から内視鏡検査装置１１の種類を特定するなどの処理も行う。
【００１３】
レポート入出力用端末１４は、検査を行った医師が所見などを入力し、レポートを作成するための端末である。レポート入出力端末１４は、レポートの作成のほかにも、検査の実施記録などの情報を入力することができる。作成されたレポートは、サーバ１５やＤＶＤ制御用端末１７に送られる。またレポート入出力用端末１４によって作成されたレポートは、これに接続されたプリンタ１９ｂによって印刷が可能である。サーバ１５は、検査によって得られた所見を記載したレポートなどのデータを保管し、プリンタ１９ａを使って印刷する。サーバ１５には、この診療科において作成されたレポートや検査実施記録等がデータベースとして格納される。また、ＤＶＤ制御用端末１７は、ＤＶＤチェンジャー１６に搭載されるＤＶＤに検査で得られた画像データを格納したり、ＤＶＤに格納されている画像データを読み出したりする。通常、検査で得られた画像データは、所見のテキストに添付されて完全なレポートとなるが、画像データは、メモリの容量を多く取るので、ＤＶＤに格納するようにしている。そして、レポートを表示する場合には、特定のレポートの読み出しの際に、このレポートに関連付けられた画像データをＤＶＤから読み出し、レポートに添付してレポート入出力用端末１４に表示し、印刷可能とする。
【００１４】
図３は、レポート入出力用端末の構成を示す図である。
レポート入出力用端末は、通常の汎用コンピュータでよいが、例えば、構成は、図３のようになる。すなわち、データ制御部２６がさまざまなデータ処理を行い、必要に応じてデータをデータ記憶部２５に格納したり、データ記憶部２５から読み出したりする。データ入力部２２には、マウスやキーボードが接続され、医師が所見を入力可能となっている。また、データ表示部２４は、ＰＣモニタに接続され、画像データを表示したり、レポートの入力フォーマットを表示するなどする。ネットワークＩ／Ｆ２１は、バスを介して他の装置とデータをやり取りするためのインターフェースである。プリンタＩ／Ｆ２３にはプリンタが接続され、完成したレポートや過去のレポートなどが印刷される。
示される。
【００１５】
図４は、レポート作成画面例を示す図である。
４２、４５のボタンは、ファイリングシステムを使っている画面では常に表示される。３１の欄には、患者基本情報として、患者の住所、氏名、既往歴などが表示される。３２の欄では、検査依頼元から、当該患者に対してどのような検査を行って欲しいかと言う指示が示される。３３の欄には、検査の依頼元、通常他の診療科の名前が表示される。３４ａの欄には、複数の部位の診断を総合した全体的な診断結果が入力される。例えば、食道に「食道裂孔ヘルニア」がみられ、胃には特に問題がない場合、「内視鏡診断」は「食道裂孔ヘルニア」となり、その詳細は、３４ｄの欄を見ることになる。３４ｂの欄は、検査の結果次に何をするべきかについて記述する。３４ｃは、検査を行った結果の所見が記載される。３４ｄには、所見に基づいて診断した結果を入力する。３４ｅには、行った処置を記載し、３４ｆには、その他のコメントを記載する。
【００１６】
３５ａ〜３５ｄは、各ウィンドウのタブであり、内視鏡システムのＥＥＰＲＯＭのデータから内視鏡の種類を判別し、その結果検査が行われる可能性のある部位を示している。医師は、この複数のタブの中から自分の行う検査の対象部位を選択して、入力ウィンドウを開く。
【００１７】
このように、ファイリングシステムが内視鏡のＥＥＰＲＯＭの情報を読み取って、検査に使用される内視鏡の種類を特定し、特定された種類の内視鏡で検査が行われる可能性のある部位をいくつかに特定して、医師にそのリストと入力ウィンドウを提示する。したがって、医師は、自分で検査部位を入力し、必要なウィンドウを表示する必要が無く、簡単に検査結果を入力するための画面を表示することができる。
【００１８】
３６のウィンドウは、所見や診断、処置、コメントの欄に記載をする場合に使用されるキーワードを列挙したものであり、医師は、この欄からキーワードを選択しながらそれぞれの欄に記入を行う。４４のウィンドウには、検査において撮像された画像４３ａ〜４３ｃが表示される。また、３７のボタンは、レポートの内容を確認するためにレポート内容を再表示させるボタンである。３８のボタンはレポートの印刷ボタンであり、３９のボタンは、レポートのデータをサーバに送る場合に押すボタンである。４０のボタンはレポートデータの保存ボタンである。４１のボタンは、患者に診断の説明をするため、患者の医学知識に合わせたレポートを印刷するボタンである。
【００１９】
図５〜図１６は、実施記録の入力ウィンドウを示し、本発明の実施形態を説明する図である。図４と同様の情報が入力されている欄については詳細な説明を省略する。
図４のボタン４２の内、実施記録を押すと、図５の画面が表示される。図５の手技の欄には、食道狭窄拡張術、食道用ステント留置術などの手技を記載する。器材の欄には、検査に使用した医療部材としての器材の名称を記載する。入力ウィンドウは、プルダウンメニュー形式となっており、メニューの一覧から使用した器材名を選択することによって、ウィンドウ内に使用した器材を入力する。薬剤の欄にも、プルダウンメニューから使用した薬剤を選択して、使用した薬剤の入力を行う。
【００２０】
本実施形態では、実際に検査で使用した器材から識別情報を取得し、この器材名が自動的に器材の欄に入力表示されるようになっている。この識別情報の取得は、例えば、無線通信によってＩＣタグから識別情報を読み込むことができるＲＦＩＤ等を用いる。図５では、検査で使用した生検鉗子（ＦＢ−２１Ｋ−１）が自動的に入力されている。
【００２１】
図６は、プルダウンメニューが開かれたところを示す図である。器材の欄では、１つ目の器材が入力されており、次に入力に備えて、２つめのウィンドウを現れており、このウィンドウの矢印を押すことにより、プルダウンメニューを表示可能である。本発明の実施形態では、このプルダウンメニューにおいて、検査に使用した器材は、リストの上のほうに表示されるように設定する。検査に使用したか否かは、器材に取り付けられたＩＣチップなどから、ＲＦＩＤの手法を使って自動的に判断する。ＲＦＩＤの方法によれば、器材の名前や器材番号などが取得可能であり、ファイリングシステムは、これを自動的に読み取って、いずれの器材が検査に使用されたかを自動的に判断する。器材が特定されると、この器材の名前がリストの上のほうに表示されるようにプルダウンメニューの表示を変更する。これは実際に使用した器材を複数使うことも考えられるため、選択しやすいようにリストの上位側に表示している。
【００２２】
また、リストの上のほうに表示する器材名としては、検査に使用された器材のほかに、検査で使用される器材の統計を取っておき、使用頻度の高い器材をリストの上のほうに表示することも可能である。この統計を取るときには、検査で使用される内視鏡の種類などを先に特定し、内視鏡の種類毎に、内視鏡と共に使用される器材の統計を取るようにすることができる。内視鏡の種類の特定は、内視鏡システムのＥＥＰＲＯＭに格納される情報をファイリングシステムが読み込むことによって行う。そのようにすれば、多数ある器材を全て表示しなくても、検査に使用された内視鏡を先に特定することによって、過去に使用された実績のある器材のみをリストに表示することが出来るので、医師や看護婦が検査の実施記録を作成する場合に、膨大なリストから使用器材を選択する必要が無くなる。また、リストの上のほうに表示する器材名の特定の仕方として、内視鏡の種類が特定された場合に、その内視鏡と共に使用される可能性のある器材を表示することも可能である。どの種類の内視鏡とどの器材が共に使用される可能性が高いかは、予めユーザが設定しておくものとする。その他の器材は、上記のようにリストの上位に表示された器材名の下に名前（五十音）順に器材名をリストアップするようにする。
【００２３】
図６は、プルダウンメニューのリストの上位側に利用回数の多い器材名が優先的に表示され、その下位側にその他の器材名が名前順（五十音順）に表示された例を示している。ここで、利用回数の多い器材は、生検鉗子（ＦＢ−１９Ｋ−１）及び生検鉗子（ＦＢ−２１Ｋ−１）であり、その他の名前順で表示されている器材は、回収バスケット、回転クリップ装置Ａセット及び回転クリップ装置Ｂセット等である。
【００２４】
図７においては、回収バスケットが選択された場合の画面が表示されている。次に、図８に示されるように、使用した薬剤の入力を行う。薬剤の入力も、プルダウンメニュー方式で入力可能となっており、使用可能な薬剤は、予め入力しておくものとする。図９は、薬剤の１つが入力された様子を示している。このように、１つの入力があると、次の入力用に、ブランクのウィンドウが用意され、次の入力を促すように構成される。次の入力が無い場合には、ＯＫボタンを押す。図１０では、薬剤に更なる入力を行う様子が示されており、プルダウンメニューが表示されている。図１１は、器材が２つ、薬剤が２つ入力された様子である。ここで、ＯＫボタンを押すと、図１２のように使用内視鏡の種類がスコープの欄に表示される。ここでは、手技は入力されていない。器材と薬剤は２つずつ入力されている。
【００２５】
このように、実施記録の入力ウィンドウで入力された手技、器材、薬剤の確認表示が行われ、更にＯＫボタンを押すと、実施記録データがサーバに格納される。
本実施形態では、検査で使用された器材名が自動的に入力表示された実施記録の入力画面において、その器材名の修正や新たな器材名の追加を任意に行うことができる。また、器材名の修正や追加を行う際に、実際に使用した器材名や使用頻度の高い器材名がリストの上の方に表示されたプルダウンメニューから器材名を選択するので、多数の器材名から所望の器材名を探す作業が軽減され、容易に修正、追加を行うことができる。
【００２６】
図１３及び図１４は、プルダウンメニューの表示方法の一形態を説明する図である。
図１３は、図５と同様に器材の識別情報を取得し、生検鉗子（ＦＢ−２１Ｋ−１）が使用器材として自動的に入力されている。図１４のように、次の器材の入力をしようとして、プルダウンメニューを表示させると、生検鉗子（ＦＢ−２１Ｋ−１）が使用器材であることから、リストの一番上に表示されている。そして、残りの回収バスケット、回転クリップＡセット、回転クリップＢセット、生検鉗子（ＦＢ−１９Ｋ−１）は、名前順にリストアップされている。
【００２７】
図１５及び図１６は、プルダウンメニューの表示方法の他の形態を説明する図である。
図１５は、図５及び図１３と同様に、器材の欄に生検鉗子（ＦＢ−２１Ｋ−１）と、回収バスケットが使用器材として自動的に入力されている。図１６に示すように、更に、使用器材を入力するためにプルダウンメニューが開かれているが、使用器材である生検鉗子（ＦＢ−２１Ｋ−１）と、回収バスケットがリストの先頭に表示され、生検鉗子（ＦＢ−１９Ｋ−１）、回転クリップＡセット、回転クリップＢセットは、利用回数順に表示される。
【００２８】
図１７は、使用器材情報を実施記録画面において表示し、修正、追加を行う場合の概略フローチャートである。
まず、ステップＳ１０において、検査時に使用した器材の情報を取得する。ステップＳ１１において検査が終了すると、ステップＳ１２において、ファイリングシステムの実施記録作成画面を表示させ、ステップＳ１３において、例えば、図５、図１３及び図１５のように使用器材の情報を表示させる。ステップＳ１４において、修正、追加があるか否かを判断する。ステップＳ１４の判断がＮｏの場合には、ステップＳ１６に進む。ステップＳ１４の判断がＹｅｓの場合には、ステップＳ１５において、修正、追加するリスト（プルダウンメニューのリスト）から、使用器材を選択し、ステップＳ１４に戻る。ステップＳ１６においては、図１２のように実施記録確認画面において、実施記録の内容が間違いが無いかを判断する。ステップＳ１６において、間違いを発見した場合には、ステップＳ１４に戻って、修正、追加をする。ステップＳ１６において、記載内容が正しいと判断された場合には、ステップＳ１７において、実施記録作成画面を終了する。
【００２９】
図１８及び図１９は、使用器材情報を実施記録画面において表示し、修正、追加する場合の一形態のフローチャートである。
ステップＳ２０において、内視鏡の種類などスコープの情報を取得する。ステップＳ２１において、検査時の使用器材情報を取得し、ステップＳ２２において、検査を終了すると、ステップＳ２３において、実施記録作成画面を表示させる。次に、図１９のステップＳ２５において、設定されているスコープ情報データにおいて過去に使用された器材の利用回数を降順に検索する。ここでは、利用回数を知るために、過去の検査履歴をファイリングシステムに格納しておき、このデータから利用回数を取得する。また、利用回数を使用する場合と似ているが、過去の検査回数で利用回数を割って、ある器材がある種類の内視鏡といっしょに使用される確率を計算し、この確率を利用回数の代わりに使用しても良い。以下同様である。
【００３０】
ステップＳ２６においては、指定回数以上使用された器材があるか否かを判断する。ステップＳ２６の判断がＮｏの場合には、ステップＳ２８に進む。ステップＳ２６判断がＹｅｓの場合には、ステップＳ２７において、利用回数が多い順にリストを作成する。ステップＳ２８においては、利用が指定回数未満の器材は、生成されたリストの後ろに名前順に並べてリストを作成する。ステップＳ２９においては、図５のように使用器材情報を表示し、ステップＳ３０において、修正、追加があるか否かを判断する。ステップＳ３０の判断がＮｏの場合には、ステップＳ３２に進む。ステップＳ３０における判断がＹｅｓの場合には、ステップＳ３１において、図６のような修正、追加するリストから使用器材を選択し、ステップＳ３０に戻る。ステップＳ３２においては、図１２のように実施記録確認画面を表示し、間違いが無いか否かを判断する。間違いがある場合には、ステップＳ３０に戻り、間違いが無い場合には、図１８のステップＳ２４において、実施記録作成画面を終了する。
【００３１】
図２０及び図２１は、使用器材情報を実施記録画面において表示し、修正、追加する場合の別の形態のフローチャートである。
ステップＳ４０において、スコープ情報を取得する。ステップＳ４１において、スコープ情報より検査種別を設定する。ステップＳ４２において、検査時の使用器材情報を取得する。ステップＳ４３において、検査が終了すると、ステップＳ４４において、実施記録作成画面を表示させる。
【００３２】
次に、図２１のステップＳ４５において、検査にて使用された器材があるか否かを判断する。ステップＳ４５の判断がＮｏの場合には、ステップＳ４７に進む。ステップＳ４５の判断がＹｅｓの場合には、ステップＳ４６において、使用器材をリスト上部に作成し、ステップＳ４７に進む。ステップＳ４７においては、設定されているスコープ情報で、過去利用された器材の利用回数を降順に検索し，ステップＳ４８において、指定回数以上利用された器材があるか否かを判断する。ステップＳ４８の判断がＮｏの場合には、ステップＳ５０に進む。ステップＳ４８の判断がＹｅｓの場合には、ステップＳ４９において、利用回数が多い順にリストに追加して、ステップＳ５０に進む。
【００３３】
ステップＳ５０においては、利用回数が指定回数未満の器材は、生成されたリストの後ろに名前順に追加し、ステップＳ５１において、使用器材情報を表示する。ステップＳ５２においては、実施記録に修正、追加があるか否かが判断される。ステップＳ５２の判断がＮｏの場合には、ステップＳ５４に進み、ステップＳ５２の判断がＹｅｓの場合には、ステップＳ５３において、例えば、図１６のような修正、追加するリストから使用器材を選択し、ステップＳ５２に戻る。ステップＳ５４においては、実施記録確認画面を表示し、修正、追加があるか否かを判断する。追加、修正がある場合には、ステップＳ５２に戻る。追加、修正がない場合には、図２０のステップＳ５５において、実施記録作成画面を終了する。
【００３４】
なお、本実施形態では、内視鏡検査の実施記録であるため、医療部材（器材）として処置具を入力しているが、内視鏡以外の検査や治療、手術等の実施記録に適用してもよく、この場合、医療部材としては、処置具以外にメスや鉗子、ピンセット、ニードル等の検査、治療、手術で使用される部材（器具）が入力されることになる。
【００３５】
また、上述のフローチャートでは、医療部材（器材）のリスト表示について説明したが、本実施例では薬品（薬剤）についても同様のリスト表示を行うように構成している。すなわち、フローチャート内における「器材」を「薬剤」に置き換えて構成することで、実際に使用した薬剤や利用回数の多い薬剤をリストの上位側に表示することができ、薬剤についても容易に修正、追加を行うことができる。
【図面の簡単な説明】
【００３６】
【図１】病院内などに設けられる医療用画像ファイリングシステムの全体構成を示す図である。
【図２】診療科に設けられるシステムの構成を示す図である。
【図３】レポート入出力用端末の構成を示す図である。
【図４】レポート作成画面例を示す図である。
【図５】実施記録の入力ウィンドウを示し、本発明の実施形態を説明する図（その１）である。
【図６】実施記録の入力ウィンドウを示し、本発明の実施形態を説明する図（その２）である。
【図７】実施記録の入力ウィンドウを示し、本発明の実施形態を説明する図（その３）である。
【図８】実施記録の入力ウィンドウを示し、本発明の実施形態を説明する図（その４）である。
【図９】実施記録の入力ウィンドウを示し、本発明の実施形態を説明する図（その５）である。
【図１０】実施記録の入力ウィンドウを示し、本発明の実施形態を説明する図（その６）である。
【図１１】実施記録の入力ウィンドウを示し、本発明の実施形態を説明する図（その７）である。
【図１２】実施記録の入力ウィンドウを示し、本発明の実施形態を説明する図（その８）である。
【図１３】実施記録の入力ウィンドウを示し、本発明の実施形態を説明する図（その９）である。
【図１４】実施記録の入力ウィンドウを示し、本発明の実施形態を説明する図（その１０）である。
【図１５】実施記録の入力ウィンドウを示し、本発明の実施形態を説明する図（その１１）である。
【図１６】実施記録の入力ウィンドウを示し、本発明の実施形態を説明する図（その１２）である。
【図１７】使用器材情報を実施記録画面において表示し、修正、追加を行う場合の概略フローチャートである。
【図１８】使用器材情報を実施記録画面において表示し、修正、追加する場合の一形態のフローチャート（その１）である。
【図１９】使用器材情報を実施記録画面において表示し、修正、追加する場合の一形態のフローチャート（その２）である。
【図２０】使用器材情報を実施記録画面において表示し、修正、追加する場合の別の形態のフローチャート（その１）である。
【図２１】使用器材情報を実施記録画面において表示し、修正、追加する場合の別の形態のフローチャート（その２）である。
【符号の説明】
【００３７】
１１      内視鏡検査装置
１２      検査装置用端末
１３      バス
１４      レポート入出力用端末
１５      サーバ
１６      ＤＶＤチェンジャー
１７      ＤＶＤ制御用端末
１８      データ送受信用端末
１９、１９ａ、１９ｂ      プリンタ
【図１】
2005143949.tif 000003
【図２】
2005143949.tif 000004
【図３】
2005143949.tif 000005
【図４】
2005143949.tif 000006
【図５】
2005143949.tif 000007
【図６】
2005143949.tif 000008
【図７】
2005143949.tif 000009
【図８】
2005143949.tif 000010
【図９】
2005143949.tif 000011
【図１０】
2005143949.tif 000012
【図１１】
2005143949.tif 000013
【図１２】
2005143949.tif 000014
【図１３】
2005143949.tif 000015
【図１４】
2005143949.tif 000016
【図１５】
2005143949.tif 000017
【図１６】
2005143949.tif 000018
【図１７】
2005143949.tif 000019
【図１８】
2005143949.tif 000020
【図１９】
2005143949.tif 000021
【図２０】
2005143949.tif 000022
【図２１】
2005143949.tif 000023